(57)【要約】【解決手段】複合コネクタは絶縁性ハウジングと複数の端子とを有する。絶縁性ハウジングは、二つの対向する上面と下面との間に接続された嵌（かん）合面と後面とを有し、複数の端子挿入スロットを画定する。各端子は、取付部とはんだ付部とを備える。取付部は端子挿入スロットに収容され、はんだ付部は、端子挿入スロットの外側に露出し、下面の下方に別々に配置される。ハウジングはさらに上面から下面まで延在し、下面の下方に配置されたはんだ付部に対応する中空部を有する。該中空部は、ハウジングの下の端子のはんだ接合の質を容易に検査することができる。端子は、取付部の基部によってのみ固定され、コネクタの全体の寸法を削減する。
2006521003.tif 000002
【特許請求の範囲】
【請求項１】
通信装置内に配設され、プリント回路基板に電気的に接続される複合コネクタであって、
上面と下面とによって互いに接続された嵌合面及び対向する後面と、複数の端子挿入スロットと、上面から下面まで延在する中空部とを備える絶縁性ハウジングと、
複数の端子とを有し、各端子は取付部とはんだ付部とを備え、前記端子の取付部は端子挿入スロット内に収容され、前記はんだ付部は下面の下方において端子挿入スロット内から延在しているとともに中空部に対応し、これにより、端子取付部と基板との間のはんだ接合を容易に検査することができる複合コネクタ。
【請求項２】
前記絶縁性ハウジングは中空部内にリブ部を更に画定する、請求項１に記載の複合コネクタ。
【請求項３】
前記ハウジングの下面は更に切欠きを画定し、該切欠きがＭＩＮＩ  ＵＳＢのエッジコンタクトのはんだ付部を収容する、請求項１に記載の複合コネクタ。
【請求項４】
突出ポストがハウジングの下面に更に形成され、プリント回路基板内の開口に挿入されることができる、請求項１に記載の複合コネクタ。
【請求項５】
ハウジングの下面は音声コンタクトユニットを収容する第１の開口部を備え、ハウジングの嵌合面は前記開口部と連通するイヤホン穴を更に含み、該イヤホン穴は、イヤホンコネクタを収容し、これにより、該イヤホンコネクタの端子が音声コンタクトユニットの端子と電気的に係合することができる、請求項１に記載の複合コネクタ。
【請求項６】
ハウジングは更に、該ハウジングの後面において充電用コンタクトユニットを収容することができる第２の開口部を備え、嵌合面は更に、前記第２の開口部と連通する充電口を含み、該充電口は、相手側コネクタの相手側充電コネクタ端子を収容し、該充電コネクタ端子を充電用コンタクトユニットの端子と電気的に係合させることができる、請求項１に記載の複合コネクタ。
【請求項７】
ハウジングは更に、下面に配置された第３及び第４の開口部を備えるとともに、前記第３の開口部に挿入されたマイクロホンコンタクトユニットと、第４の開口部に挿入されたマイクロホンとを含み、前記嵌合面は更に、第３の開口部と連通してマイクロホンの音声穴に対応するマイクロホン穴を含み、マイクロホンの端子が、マイクロホンコンタクトユニットの端子のコンタクト部と係合することができる、請求項１に記載の複合コネクタ。
【請求項８】
各端子は、基部と、該基部に配設されて端子挿入スロット内に機械的に係合する干渉タブとを備え、前記基部の一端から弾性アームが延在し、該弾性アームが延在する端と反対側の基部の端からはんだ付部が延在する、請求項５に記載の複合コネクタ。
【発明の詳細な説明】
【技術分野】
【０００１】
本発明は、複合コネクタに関し、より詳細には通信装置のイヤホン、充電装置、マイクロホン等の機能を兼ね備えたコネクタに関する。
【背景技術】
【０００２】
近年の携帯電話機の急速な進歩によって、該携帯電話機は、有線電話のような場所的な制約がないため多くの人々に好まれている。携帯電話機の持ち運びの点で、ユーザは一般に小型軽量構造を好む。しがたって、設計においては、携帯電話機全体のサイズと重量を減らすために、すべての部品の小型化及び低重量化が目的となっている。同時に、信号の送受信の質を維持するために、すべての電気部品間の導電接続が良好でなければならない。よく知られていることであるが、携帯電話機は、イヤホン、充電装置及びマイクロホンに対して電気的な接続を供給しなければならない。
【０００３】
図１を参照すると、従来技術の複合コネクタは、絶縁性ハウジング５、充電用コンタクトユニット７、イヤホンコンタクトユニット（図示せず）及びマイクロホンとそのコンタクトユニット（図示せず）とを有する。絶縁性ハウジング５は、平坦（たん）な外側面５０と一体的に設計されている。充電用コンタクトユニット７は、様々なタイプの構造と形状の端子を含み、ハウジング５内に収容される。該ハウジング５は、充電用コンタクトユニット７と係合するために充電器の相手側コネクタと係合する嵌（かん）合面５１を有する。
【発明の開示】
【発明が解決しようとする課題】
【０００４】
前述の従来技術のコネクタのハウジングは、異なったタイプの端子の位置決め及び固定に使用される。コネクタによって提供される機能が増加すると端子の数が増加する。ハウジングの底面とプリント回路基板との間に位置する一部の端子の部分については、端子をプリント回路基板にはんだ付するのが困難である。端子を位置決めするのが難しいため、はんだ接合の品質は制御が難しく、時間と温度の制御によって決まる。また、ハウジングの底面とプリント回路基板との間に隠れたはんだ接合を検査するのは困難である。前述のように、従来技術の複合コネクタは大き過ぎるとともに、はんだ接合の品質を維持するのが困難である。
【０００５】
本発明の主な目的は、プリント回路基板に確実にはんだ付することができ、かつ、容易に検査することができる端子を有する複合コネクタを提供することである。他の目的は、軽量化され小型化された絶縁性ハウジングを備えた複合コネクタを提供することである。
【課題を解決するための手段】
【０００６】
前述の目的を達成するために、本発明は、通信装置内に配設されて回路基板に電気的に接続し、かつ、外部の相手側コネクタと導電接触する複合コネクタを提供する。該複合コネクタは、絶縁性ハウジングと複数の端子とを有する。前記絶縁性ハウジングは、上面と下面との間に配置された嵌合面を有し、複数の端子挿入スロットを画定する。各端子は、取付部とはんだ付部とを備える。各端子の取付部は、対応する端子挿入スロットに収容される。はんだ付部は、端子挿入スロット内を通り後面の後側と下面の下方に配置される。ハウジングは更に中空部を画定し、該中空部は、上面から下面まで延在して下面の下方に配置されたはんだ付部に対応している。この構成によって、端子と回路基板との間のはんだ接合を容易に視覚的に検査することができる。
【０００７】
新規であると考えられる本発明の特徴は、添付の特許請求の範囲に詳細に説明される。本発明は、その目的及び利点とともに、以下の説明を添付図面と組合せて参照することによって最もよく理解することができ、図面において類似の参照符号は類似の要素を示す。
【発明を実施するための最良の形態】
【０００８】
本発明の技術内容、特徴及び機能を最もよく理解することができるように、図面と組合せて本発明の好ましい実施形態を以下、詳細に説明する。
【０００９】
図２〜６を参照すると、本発明の複合コネクタは通信装置内に配設され、その端子はプリント回路基板にはんだ付される。ハウジング１は、嵌合面１７ａとその反対側の後面１７ｂとを有し、これらは互いに対向する上面２１と下面２２とに接続されている。ハウジング１は、いくつかの端子挿入スロット１１、１２及び１３、イヤホン穴１８、充電穴１９並びにマイクロホン穴２０を画定する。下面２２には、さらに、ハウジング１をプリント回路基板（図示せず）に位置決めするために使用される突出ポスト１６が形成されている。
【００１０】
複数の端子が提供され、各端子は取付部３８とはんだ付部３２とを有する。端子の取付部３８は、端子挿入スロット１１、１２及び１３に収容される。はんだ付部３２は、端子挿入スロット１１、１２及び１３の外側に露出し、後面１７ｂの後側における下面２２の下方に配置され、プリント回路基板にはんだ付される。ハウジング１は、さらに、上面２１から下面２２まで延在する中空部１４を画定し、該中空部１４は下面２２の下方のはんだ付部３２に対応している。ハウジング１には、さらに、該ハウジング１の構造を強化するために中空部１４内に配置されたリブ１５が形成されている。
【００１１】
これら端子は、可聴周波数コンタクトユニット３５、充電用コンタクトユニット３６及びマイクロホンコンタクトユニット３７を形成している。端子の取付部はそれぞれ、干渉タブ３１を含む基部３０を有する。該基部３０の一端には弾性アーム３３が形成され、該弾性アーム３３の自由端は接触部３４を備えている。前記基部３０の他端にははんだ付部３２を備えている。
【００１２】
ハウジング１の端子挿入スロット１１の開口部は下面２２に配置され、可聴周波数コンタクトユニット３５は端子挿入スロット１１内に配設されて、干渉タブ３１によって端子挿入スロット１１に固定される。嵌合面１７ａのイヤホン穴１８は、端子挿入スロット１１と連通している。外部の相手側コネクタは相手側イヤホンコネクタ（図示せず）を有し、該相手側イヤホンコネクタはイヤホン穴１８に挿入されて可聴周波数コンタクトユニット３５の端子の接触部３４と電気的に係合する。
【００１３】
ハウジング１の端子挿入スロット１２の開口部はハウジングの後面１７ｂに配置され、充電用コンタクトユニット３６は端子挿入スロット１２内に配置されて、干渉タブ３１によって端子挿入スロット１２内に固定される。嵌合面１７ａの充電穴１９は、端子挿入スロット１２と連通している。外部の相手側コネクタは相手側充電コネクタ（図示せず）を有し、該相手側充電コネクタは充電穴１９に挿入されて充電用コンタクトユニット３６の端子の接触部３４と電気的に係合する。
【００１４】
ハウジング１の端子挿入スロット１３の開口部は下面２２に配置され、マイクロホンコンタクトユニット３７は、端子挿入スロット１３内に配置されて、干渉タブ３１によって端子挿入スロット１３に固定される。ハウジング１は、さらに、マイクロホン２４を収容するための収容スロット２３を画定する。嵌合面１７ａのマイクロホン穴２０は、収容スロット２３と連通し、マイクロホン２４の音声穴に対応している。マイクロホン２４の電気接点は、マイクロホンコンタクトユニット３７の端子の接触部３４と電気的に係合する。
【００１５】
複合コネクタの各端子のはんだ付部３２は、下面２２の下方に延在し、該下面２２の周辺領域及び中空部１４内に配置される。このため、端子とプリント回路基板との間のはんだ接合を容易に検査することができる。端子は、基部３０の干渉タブ３１によってのみ端子挿入スロット１１、１２及び１３に固定されている。端子をハウジング１に固定するのに他の材料は必要ないため、上面２１と下面２２との間の高さが低くなり、中空部１４が配設されたためコネクタの全体の寸法と重量を低減することができる。
【００１６】
ハウジング１の嵌合面１７ａは、さらに、下面２２に隣接した切欠き２５を画定する。該切欠き２５は、ＭＩＮＩ  ＵＳＢ（図示せず）のエッジ端子のはんだ付部を収容し、これにより、ＭＩＮＩ  ＵＳＢと組合せたときに必要な全体のスペースが節約され複合コネクタの機能が向上する。
【００１７】
本発明のいくつかの実施形態を示し説明したが、本発明をこれら実施形態に限定することを意図したものではない。むしろ、当業者であれば本発明の趣旨及び範囲から逸脱することなくこれら実施形態に様々な変更を加えることができる。しがたって、本発明の保護対象は、本願に定義された特許請求の範囲に基づいて決められる。
【図面の簡単な説明】
【００１８】
【図１】従来技術の複合コネクタの部分分解斜視図である。
【図２】本発明の複合コネクタの分解斜視図である。
【図３】本発明の複合コネクタの後面を示す組立斜視図である。
【図４】本発明の複合コネクタの前面を示す組立斜視図である。
【図５】本発明の複合コネクタの上面図である。
【図６】本発明の複合コネクタの底面図である。
【図１】
2006521003.tif 000003
【図２】
2006521003.tif 000004
【図３】
2006521003.tif 000005
【図４】
2006521003.tif 000006
【図５】
2006521003.tif 000007
【図６】
2006521003.tif 000008
【手続補正書】
【提出日】平成16年8月30日(2004.8.30)
【手続補正１】
【補正対象書類名】特許請求の範囲
【補正対象項目名】全文
【補正方法】変更
【補正の内容】
【特許請求の範囲】
【請求項１】
通信装置内に配設され、プリント回路基板に電気的に接続される複合コネクタであって、
外周囲によって画定された上面（２１）と下面（２２）とによって互いに接続された嵌合面（１７ａ）及び対向する後面（１７ｂ）と、複数の端子挿入スロット（１１、１２、１３）と、外周囲内において上面から下面まで延在する中空部（１４）とを備える絶縁性ハウジング（１）と、
複数の端子とを有し、各端子は取付部（３８）とはんだ付部（３２）とを備え、前記端子の取付部（３８）は端子挿入スロット（１１、１２、１３）内に収容され、前記はんだ付部（３２）は下面（２２）の下方において端子挿入スロット内から延在しているとともに中空部（１４）に対応し、これにより、端子取付部と基板との間のはんだ接合を容易に検査することができる複合コネクタ。
【請求項２】
前記絶縁性ハウジングは中空部（１４）内にリブ部（１５）を更に画定する、請求項１に記載の複合コネクタ。
【請求項３】
前記ハウジングの下面（２２）は更に切欠き（２５）を画定し、該切欠きがＭＩＮＩ  ＵＳＢのエッジコンタクトのはんだ付部を収容する、請求項１に記載の複合コネクタ。
【請求項４】
突出ポスト（１６）がハウジングの下面（２２）に更に形成され、プリント回路基板内の開口に挿入されることができる、請求項１に記載の複合コネクタ。
【請求項５】
ハウジングの下面（２２）は音声コンタクトユニット（３５）を収容する第１の開口部を備え、ハウジングの嵌合面（１７ａ）は前記開口部と連通するイヤホン穴（１８）を更に含み、該イヤホン穴は、イヤホンコネクタを収容し、これにより、該イヤホンコネクタの端子が音声コンタクトユニット（３５）の端子と電気的に係合することができる、請求項１に記載の複合コネクタ。
【請求項６】
ハウジングは更に、該ハウジングの後面（１７ｂ）において充電用コンタクトユニット（３６）を収容することができる第２の開口部を備え、嵌合面（１７ａ）は更に、前記第２の開口部と連通する充電口（１９）を含み、該充電口は、相手側コネクタの相手側充電コネクタ端子を収容し、該充電コネクタ端子を充電用コンタクトユニットの端子と電気的に係合させることができる、請求項１に記載の複合コネクタ。
【請求項７】
ハウジングは更に、下面（２２）に配設された第３及び第４の開口部を備えるとともに、前記第３の開口部（１３）に挿入されたマイクロホンコンタクトユニット（３７）と、第４の開口部（２３）に挿入されたマイクロホン（２４）とを含み、前記嵌合面は更に、第３の開口部（１３）と連通してマイクロホンの音声穴に対応するマイクロホン穴（２０）を含み、マイクロホンの端子が、マイクロホンコンタクトユニット（３６）の端子のコンタクト部（３４）と係合することができる、請求項１に記載の複合コネクタ。
【請求項８】
各端子は、基部（３０）と、該基部に配設されて端子挿入スロット（１１）内に機械的に係合する干渉タブ（３１）とを備え、前記基部の一端から弾性アーム（３３）が延在し、該弾性アームが延在する端と反対側の基部の端からはんだ付部（３２）が延在する、請求項５に記載の複合コネクタ。
【国際調査報告】
2006521003.tif 000009
2006521003.tif 000010
2006521003.tif 000011